(57)【特許請求の範囲】
【請求項１】
チェーンの幅方向の両外側に配置される外側リンクプレートと該外側リンクプレートの間に配置される複数の内側リンクプレートとでそれぞれ構成される外リンク及び内リンクを備え、前記各外側リンクプレート及び前記各内側リンクプレートはそれぞれ一対のリンク歯と一対のピン孔を有するとともに該リンク歯の反対側に平坦な背面を有し、前記外リンク及び前記内リンクを構成する前記各内側リンクプレートをチェーンの幅方向に交互に配置するとともに前記外リンクを構成する前記外側リンクプレートのピン孔に連結ピンの両端部を固着することで前記外リンクと前記内リンクとをチェーンの長手方向に交互に無端状に連結し、前記各外側リンクプレートのリンク歯はチェーンの外周側に位置し、前記各内側リンクプレートのリンク歯はチェーンの内周側に位置する両面噛合い型サイレントチェーンにおいて、
前記外リンクを構成する前記複数の内側リンクプレートの内のチェーンの幅方向の外側に配置されている内側リンクプレートを取り除き、前記内リンクを構成する前記外側リンクプレートに隣接してチェーンの幅方向の内側に前記内リンクを構成する前記複数の内側リンクプレートの内の一つが配置されていることを特徴とする両面噛合い型サイレントチェーン。
【請求項２】
前記外リンクを構成する内側リンクプレートの板厚と前記内リンクを構成する内側リンクプレートの板厚が同一であることを特徴とする請求項１に記載の両面噛合い型サイレントチェーン。
【発明の詳細な説明】
【技術分野】
【０００１】
本発明は、一対のリンク歯がチェーンの外周側に位置する外側リンクプレートと、一対のリンク歯がチェーンの内周側に位置する内側リンクプレートとを有する両面噛合い型サイレントチェーンに関し、特に、両面噛合い型サイレントチェーンを構成するリンクプレートの配列に関するものである。
【０００２】
なお、本明細書において、外リンクとはチェーンの幅方向において最も外側に配置されるリンクプレートを含むリンク列を意味し、内リンクとは隣合う外リンク間に配置され隣合う外リンクを連結するリンク列を意味する。
【背景技術】
【０００３】
従来、一対のリンク歯がチェーンの外周側に位置する外側リンクプレートと、一対のリンク歯がチェーンの内周側に位置する内側リンクプレートとを有する両面噛合い型サイレントチェーンが知られている（例えば、特許文献１，２参照）。
【０００４】
従来の両面噛合い型サイレントチェーン１’の一例を図３，４に示す。図３は従来の両面噛合い型サイレントチェーン１’の一部を示す部分平面図であり、図４は同じく一部を示す部分側面図である。
【０００５】
従来の両面噛合い型サイレントチェーン１’は、図３に示すように、チェーンの幅方向の両外側に配置される外側リンクプレート２，３と外側リンクプレート２，３の間に配置される複数の内側リンクプレート４’，５とでそれぞれ構成される外リンクＬ１及び内リンクＬ２を備えている。
【０００６】
また、図４に示すように、外リンクＬ１及び内リンクＬ２をそれぞれ構成する各外側リンクプレート２，３及び各内側リンクプレート４’，５は、それぞれ一対のリンク歯２ａ，３ａ，４’ａ，５ａと一対のピン孔２ｂ，３ｂ，４’ｂ，５ｂを有するとともにリンク歯の反対側に平坦な背面２ｃ，３ｃ，４’ｃ，５ｃを有している。
【０００７】
また、従来の両面噛合い型サイレントチェーン１’は、図３，４に示すように、外リンクＬ１及び内リンクＬ２を構成する各内側リンクプレート４’，５をチェーンの幅方向に交互に配置するとともに外リンクＬ１を構成する外側リンクプレート２のピン孔２ｂに連結ピン６の両端部を固着することで外リンクＬ１と内リンクＬ２とをチェーンの長手方向に交互に無端状に連結している。
【０００８】
また、図４に示すように、各外側リンクプレート２，３のリンク歯２ａ，３ａはチェーンの外周側に位置し、各内側リンクプレート４’，５のリンク歯４’ａ，５ａはチェーンの内周側に位置している。
【先行技術文献】
【特許文献】
【０００９】
【特許文献１】特開２００６−２８１１号公報
【特許文献２】特許第３０８１１９５号公報
【発明の概要】
【発明が解決しようとする課題】
【００１０】
ところで、前述した従来の両面噛合い型サイレントチェーン１’は次の問題がある。
【００１１】
従来の両面噛合い型サイレントチェーン１’は、外リンクＬ１及び内リンクＬ２を構成する各内側リンクプレート４’，５をチェーンの幅方向に交互に配置するとともに外リンクＬ１を構成する外側リンクプレート２のピン孔２ｂに連結ピン６の両端部を固着することで外リンクＬ１と内リンクＬ２とをチェーンの長手方向に交互に無端状に連結しているので、チェーンの長手方向に引張荷重が作用すると、連結ピン６の撓みを抑制する効果が小さく、結果としてチェーンの弾性伸び量が増大するという問題がある。
【００１２】
したがって、前述した従来の両面噛合い型サイレントチェーン１’をエンジンのタイミングチェーンに使用した場合、チェーンの弾性伸び量の増大によりカムスプロケットの角度ずれが大きくなる等の問題がある。
【００１３】
また、チェーンの長手方向に引張荷重が作用するときの連結ピン６の撓みが増加することにより、内リンクＬ２を構成する外側リンクプレート３に発生する応力が増大し、チェーンの疲労強度が低下するという問題がある。
【００１４】
従来の両面噛合い型サイレントチェーン１’を構成するリンクプレートの配列では連結ピン６の全長（すなわち、チェーン幅）が大きくなるという問題がある。
【００１５】
したがって、従来の両面噛合い型サイレントチェーン１’をエンジンのタイミングチェーンに使用した場合、近年のエンジンの省スペース化による客先ニーズに対して十分に対応できないという問題がある。
【００１６】
そこで、本発明が解決しようとする技術的課題、すなわち、本発明の目的は、チェーンの弾性伸びを低減でき、疲労強度を向上でき、チェーン幅を縮小できる両面噛合い型サイレントチェーンを提供することである。
【課題を解決するための手段】
【００１７】
まず、本請求項１に係る発明は、チェーンの幅方向の両外側に配置される外側リンクプレートと該外側リンクプレートの間に配置される複数の内側リンクプレートとでそれぞれ構成される外リンク及び内リンクを備え、前記各外側リンクプレート及び前記各内側リンクプレートはそれぞれ一対のリンク歯と一対のピン孔を有するとともに該リンク歯の反対側に平坦な背面を有し、前記外リンク及び前記内リンクを構成する前記各内側リンクプレートをチェーンの幅方向に交互に配置するとともに前記外リンクを構成する前記外側リンクプレートのピン孔に連結ピンの両端部を固着することで前記外リンクと前記内リンクとをチェーンの長手方向に交互に無端状に連結し、前記各外側リンクプレートのリンク歯はチェーンの外周側に位置し、前記各内側リンクプレートのリンク歯はチェーンの内周側に位置する両面噛合い型サイレントチェーンにおいて、前記外リンクを構成する前記複数の内側リンクプレートの内のチェーンの幅方向の外側に配置されている内側リンクプレートを取り除き、前記内リンクを構成する前記外側リンクプレートに隣接してチェーンの幅方向の内側に前記内リンクを構成する前記複数の内側リンクプレートの内の一つが配置されていることにより、前記課題を解決したものである。
【００１８】
そして、本請求項２に係る発明は、請求項１に係る両面噛合い型サイレントチェーンにおいて、前記外リンクを構成する内側リンクプレートの板厚と前記内リンクを構成する内側リンクプレートの板厚が同一であることにより、前記課題をさらに解決したものである。
【発明の効果】
【００１９】
本請求項１に係る両面噛合い型サイレントチェーンによれば、次のような効果を奏する。
【００２０】
外リンクを構成する複数の内側リンクプレートの内のチェーンの幅方向の外側に配置されている内側リンクプレートを取り除き、内リンクを構成する外側リンクプレートに隣接してチェーンの幅方向の内側に内リンクを構成する複数の内側リンクプレートの内の一つが配置されているので、連結ピンの長さが短くなり、チェーンの長手方向に引張荷重が作用したときの連結ピンの撓み量が少なくなる。その結果、内リンクを構成する外側リンクプレートの挙動が安定する。
【００２１】
また、互いに隣接して配置される内リンクを構成する外側リンクプレートと内リンクを構成する内側リンクプレートが一セットのリンクプレートとして機能し、内リンクを構成する外側リンクプレートの板厚が擬似的に大きくなり、チェーンの長手方向に引張荷重が作用したときに生じるこの外側リンクプレートの応力を低減でき、その結果、チェーンの疲労強度が向上できる。
【００２２】
外リンクを構成する内側リンクプレートがチェーンの幅方向の内側寄りに配置されることにより、チェーンの長手方向に引張荷重が作用したときの連結ピンの撓みが抑制されることで、他のリンクプレートが引張荷重を分担しやすくなり、内リンクを構成する外側リンクプレートの応力を低減できる。
【００２３】
また、チェーンの長手方向に引張荷重が作用したときの連結ピンの撓みが抑制されるので、チェーンの弾性伸びを低減できる。
【００２４】
また、外リンクを構成する内側リンクプレートを一枚減らすことにより、連結ピンの長さが短くなり、チェーン幅を縮小できる。
【００２５】
したがって、チェーン幅の縮小によって、スペース性が向上し、軽量化できる。
【００２６】
そして、本請求項２に係る両面噛合い型サイレントチェーンによれば、次のような効果を奏する。
【００２７】
外リンクを構成する内側リンクプレートの板厚を従来の内側リンクプレートより厚くして内リンクを構成する内側リンクプレートの板厚と同一にしているので、一枚減らしても、従来の両面噛合い型サイレントチェーンよりチェーンの弾性伸びを低減でき、従来の両面噛合い型サイレントチェーンと同等のチェーンの疲労強度を確保できる。
【００２８】
また、外リンクを構成する内側リンクプレートの板厚と内リンクを構成する内側リンクプレートの板厚と同一にしているので、部品共通化が可能になり、コストを低減できる。
【図面の簡単な説明】
【００２９】
【図１】本発明の一実施例の両面噛合い型サイレントチェーンの一部を示す部分平面図。
【図２】本発明の一実施例の両面噛合い型サイレントチェーンの一部を示す部分側面図。
【図３】従来の両面噛合い型サイレントチェーンの一部を示す部分平面図。
【図４】従来の両面噛合い型サイレントチェーンの一部を示す部分側面図。
【発明を実施するための形態】
【００３０】
本発明の一実施例の両面噛合い型サイレントチェーン１を、図１，２に基づいて以下に説明する。
【００３１】
図１は本発明の一実施例の両面噛合い型サイレントチェーン１の一部を示す部分平面図であり、図２は同じく一部を示す部分側面図である。
【００３２】
本発明の一実施例の両面噛合い型サイレントチェーン１は、図１に示すように、チェーンの幅方向の両外側に配置される外側リンクプレート２，３と外側リンクプレート２，３の間に配置される複数の内側リンクプレート４，５とでそれぞれ構成される外リンクＬ１及び内リンクＬ２を備えている。
【００３３】
また、図２に示すように、外リンクＬ１及び内リンクＬ２をそれぞれ構成する各外側リンクプレート２，３及び各内側リンクプレート４，５は、それぞれ一対のリンク歯２ａ，３ａ，４ａ，５ａと一対のピン孔２ｂ，３ｂ，４ｂ，５ｂを有するとともにリンク歯の反対側に平坦な背面２ｃ，３ｃ，４ｃ，５ｃを有している。
【００３４】
また、両面噛合い型サイレントチェーン１は、図１，２に示すように、外リンクＬ１及び内リンクＬ２を構成する各内側リンクプレート４，５をチェーンの幅方向に交互に配置するとともに外リンクＬ１を構成する外側リンクプレート２のピン孔２ｂに連結ピン６の両端部を固着することで外リンクＬ１と内リンクＬ２とをチェーンの長手方向に交互に無端状に連結している。
【００３５】
また、図２に示すように、各外側リンクプレート２，３のリンク歯２ａ，３ａはチェーンの外周側に位置し、各内側リンクプレート４，５のリンク歯４ａ，５ａはチェーンの内周側に位置している。
【００３６】
そして、両面噛合い型サイレントチェーン１において、外リンクＬ１を構成する複数の内側リンクプレート４の内のチェーンの幅方向の外側に配置されている内側リンクプレート４を取り除き、内リンクＬ２を構成する外側リンクプレート３に隣接してチェーンの幅方向の内側に内リンクＬ２を構成する複数の内側リンクプレート５の内の一つが配置されている。
【００３７】
そして、外リンクＬ１を構成する内側リンクプレート４の枚数は、図３に示す従来の両面噛合い型サイレントチェーン１’のものに比べて一枚少なくなっている。
【００３８】
そこで、外リンクＬ１を構成する内側リンクプレート４の枚数が一枚少なくなると外リンクＬ１側の各内側リンクプレート４の引張荷重に対する強度が減少するが、この各内側リンクプレート４の強度減少を防止するために、各内側リンクプレート４の板厚を内リンクＬ２を構成する内側リンクプレート５の板厚と同一にしている。
【００３９】
本発明の一実施例の両面噛合い型サイレントチェーン１によれば、次のような効果を有する。
【００４０】
外リンクＬ１を構成する複数の内側リンクプレート４の内のチェーンの幅方向の外側に配置されている内側リンクプレート４を取り除き、内リンクＬ２を構成する外側リンクプレート３に隣接してチェーンの幅方向の内側に内リンクＬ２を構成する複数の内側リンクプレート５の内の一つが配置されているので、連結ピン６の長さが短くなり、チェーンの長手方向に引張荷重が作用したときの連結ピン６の撓み量が少なくなる。その結果、内リンクＬ２を構成する外側リンクプレート３の挙動が安定する。
【００４１】
また、互いに隣接して配置される内リンクＬ２を構成する外側リンクプレート３と内リンクＬ２を構成する内側リンクプレート５が一セットのリンクプレートとして機能し、内リンクＬ２を構成する外側リンクプレート３の板厚が擬似的に大きくなり、チェーンの長手方向に引張荷重が作用したときに生じるこの外側リンクプレート３の応力を低減でき、その結果、チェーンの疲労強度が向上できる。
【００４２】
外リンクＬ１を構成する内側リンクプレート４がチェーンの幅方向の内側寄りに配置されることにより、チェーンの長手方向に引張荷重が作用したときの連結ピン６の撓みが抑制されることで、他のリンクプレートが引張荷重を分担しやすくなり、内リンクＬ２を構成する外側リンクプレート３の応力を低減できる。
【００４３】
また、チェーンの長手方向に引張荷重が作用したときの連結ピン６の撓みが抑制されるので、チェーンの弾性伸びを低減できる。
【００４４】
また、外リンクＬ１を構成する内側リンクプレート４を一枚減らすことにより、連結ピン６の長さが短くなり、チェーン幅を縮小できる。
【００４５】
したがって、チェーン幅の縮小によって、スペース性が向上し、軽量化できる。
【００４６】
外リンクＬ１を構成する内側リンクプレート４の板厚を従来の内側リンクプレートより厚くして内リンクＬ２を構成する内側リンクプレート５の板厚と同一にすることで、一枚減らしても、従来の両面噛合い型サイレントチェーン１’よりチェーンの弾性伸びを低減でき、従来の両面噛合い型サイレントチェーン１’と同等のチェーンの疲労強度を確保できる。
【００４７】
また、外リンクＬ１を構成する内側リンクプレート４の板厚と内リンクＬ２を構成する内側リンクプレート５の板厚と同一にすることにより部品共通化が可能になり、コストを低減できる。
【符号の説明】
【００４８】
１，１’・・・  両面噛合い型サイレントチェーン
２，３  ・・・  外側リンクプレート
４，４’，５  ・・・  内側リンクプレート
２ａ，３ａ，４ａ，４’ａ，５ａ  ・・・  一対のリンク歯
２ｂ，３ｂ，４ｂ，４’ｂ，５ｂ  ・・・  一対のピン孔
２ｃ，３ｃ，４ｃ，４’ｃ，５ｃ  ・・・  背面
６  ・・・  連結ピン
Ｌ１  ・・・  外リンク
Ｌ２  ・・・  内リンク
【図１】
0004420946.tif 000002
【図２】
0004420946.tif 000003
【図３】
0004420946.tif 000004
【図４】
0004420946.tif 000005